(57)【特許請求の範囲】
【請求項１】
乾燥室内に着脱自在に収容された食器かごに、食器類及び小物食器類が収納された小物収納かごを収納して乾燥する食器乾燥機において、
前記小物収納かごを、発錆しにくい金属材料からなり上面が開口した箱体及びこの箱体の開口縁に取付けた枠体と、ほぼ凹状に形成され前記箱体の底部から両側壁の外側に取付けた補強枠と、前記箱体の外周を囲むように前記補強枠に取付けられ長手方向の両端部をその下端部が前記箱体の底部より下方に位置するように折曲げられた脚部を有する支持枠とによって構成したことを特徴とする食器乾燥機。
【請求項２】
前記小物収納かごの枠体に、発錆しにくい金属材料からなり該枠体の長手方向と直交して着脱かつ摺動自在に装着した仕切部材を備えたことを特徴とする請求項１記載の食器乾燥機。
【発明の詳細な説明】
【０００１】
【発明の属する技術分野】
本発明は、洗浄した食器類を食器かごに収納して乾燥室に収容し、温風によって乾燥する食器乾燥機に係り、さらに詳しくは、皿や茶碗など以外の食事に使用する箸、スプーンなどの小物食器類を収納して食器かごに収容する小物収納かごに関するものである。
【０００２】
【従来の技術】
図１１〜図１３は実開昭６２−６１６７３号公報に開示された従来の小物収納かごを備えた食器乾燥機及び小物収納かごの一例の斜視図である。
図において、３１は後述する食器かご及び小物収納かごを収容した食器乾燥機の本体で、内部にはヒータと放熱板（図示せず）を備えている。３２は本体３１の上部開口部を開閉する蓋体で、ほぼドーム状の箱形に形成され、本体３１の開口縁３３に取付けられたヒンジ部３４に回動自在に枢支されている。なお、この蓋体３２は、ドーム状の回動部３２ａと、開口縁３３に固定された固定部３２ｂとからなっている。
【０００３】
３５は箸やスプーン等の小物食器類を収納する長尺状の小物収納かごで、この小物収納かご３５は、両側面と下面とに多数の穴３５ａが形成され、長手方向の両端部の下面には本体３１の短辺側の開口縁３３に係合する係合部３５ｂが設けられており、また、長手方向の一方の端部には、係合穴３５ｃと係合片３５ｄが設けられている。
３６は小物収納かご３５の一端に装着される補助取付部材で、一端に上記係合穴３５ｃに係合する挿入片３６ａが設けられており、他端の下部には補助係合部３６ｂが形成されている。
【０００４】
上記のように構成した小物収納かご３５及び補助取付部材３６を食器乾燥機の本体３１に取付ける場合において、先ず、本体３１の開口縁３３の長手方向と直交して取付ける場合は、図１１に示すように、小物収納かご３５の係合部３５ｂを開口縁３３の長辺に係合させる。また、本体３１の開口縁３３の短手方向と直交して取付ける場合は、小物収納かご３５の一端に、補助取付部材３６を装着する。すなわち、小物収納かご３５の係合穴３５ｃ内に補助取付部材３６の挿入片３６ａを挿入して組立てる。そして、図１２に示すように、小物収納かご３５の一端側の係合部３５ｂと、補助取付部材３６の係合部３６ｂを本体１の開口縁３３の短辺に係合させる。
【０００５】
上記のように構成した小物収納かご３５によれば、食器乾燥機の本体３１内に収容した食器等の配置に応じて、小物収納かご３５の設置方向を左右、前後と変えることができるので、本体３１内のスペースを有効に使用することができる。
【０００６】
【発明が解決しようとする課題】
上記のような従来技術においては、小物収納かご３５の本体３１への収容にあたっては、その係合部３５ｂ（又は３５ｂ，３６ｂ）を本体３１の開口縁３３に係合するようにしている。一方、小物収納かご３５の材質は、その形状及び製造方法の容易さから推察して、比較的耐熱性、耐湿性に優れたプラスチック材の成形品と考えられる。このようなプラスチック成形品からなる小物収納かご３５は、表面や隅部さらには穴部に水あかなどが溜り易く、その上ぬめりや黒ずみが発生し易いため頻繁に清浄する必要があり、取扱いに課題を有し、しかも頻繁に清掃しない場合はあまり衛生的ではない。
【０００７】
本発明は、上記の課題を解決するためになされたもので、取扱性、乾燥性に優れた衛生的な小物収納かごを備えた食器乾燥機を提供することを目的としたものである。
【０００８】
【課題を解決するための手段】
本発明は、乾燥室内に着脱自在に収容された食器かごに、食器類及び小物食器類が収納された小物収納かごを収納して乾燥する食器乾燥機において、前記小物収納かごを、発錆しにくい金属材料からなり上面が開口した箱体及びこの箱体の開口縁に取付けた枠体と、ほぼ凹状に形成され前記箱体の底部から両側壁の外側に取付けた補強枠と、前記箱体の外周を囲むように前記補強枠に取付けられ長手方向の両端部をその下端部が前記箱体の底部より下方に位置するように折曲げられた脚部を有する支持枠とによって構成したものである。
【００１０】
また、上記の小物収納かごの枠体に、発錆しにくい金属材料からなり該枠体の長手方向と直交して着脱かつ摺動自在に装着した仕切部材を備えたものである。
【００１１】
【発明の実施の形態】
［実施の形態１］
図１は本発明に係る小物収納かごを収容した食器乾燥機の一例の斜視図、図２は図１の食器類をとり除いた状態を示す食器乾燥機の斜視図、図３は図１の食器かごと小物収納かごの斜視図である。図において、１は送風機、ヒータなどを内蔵した食器乾燥機の本体ケース、２は本体ケース１に開閉自在に軸支された複数の蓋体で、本体ケース１の底板３との間に乾燥室４を形成する。
【００１２】
５は乾燥室４に収容され、底板３上に設置して皿、茶碗などの食器類６を収納する食器かごで、例えば、ステンレス線材などを折曲げて主枠５ａ、外枠５ｂなどを形成し、これらを溶接等により接合してほぼ箱状に形成したものである。
７は食器かご５内に設置して乾燥機４内に収容された小物収納かごで、食器かご５内に収納された皿や茶碗などの食器類６以外の、例えば、箸１３ａやスプーン、フォーク１３ｂなどの小物食器類１３が収納される。
【００１３】
次に、小物収納かご７の詳細を、図４〜図７により説明する。
８は小物収納かご７の主要部をなす箱体で、ステンレス鋼線又は防錆処理を施した鉄線などの発錆しにくい金属線材を編んで形成した金網、あるいは多数の細孔を有するパンチングメタルなどの材料をプレス加工などにより成形したもので、長方形の底部８ａと、この底部８ａから立上げた対向する両側壁部（長辺部）８ｂと、同じく前後壁部（短辺部）８ｃとにより容器状に形成されている。９はこの箱体８の両側壁部８ｂと前後壁部８ｃの開放端縁を全周にわたって保持するステンレス鋼板又は防錆処理を施した鉄板などを枠状に形成した枠体部で、両側壁部８ｂ及び前後壁部８ｃの開放端縁を挟んで保持する。
【００１４】
１０はステンレス鋼線などをプレス加工などによりほぼ凹字状に折曲げ形成した補強枠で、箱体８の底部８ａから両側壁部８ｂの外側に、スポット溶接などにより取付けられている。
１１はステンレス鋼線等からなり、補強枠１０の外側にスポット溶接などにより取付けられ、箱体８の外周を囲むように形成された長方形の支持枠である。１１ａはこの支持枠１１の主枠、１１ｂはこの主枠１１ａの両端部を前後方向及び下方に延設して形成した脚部で、この脚部１１ｂは箱体８の底部８ａより若干下方まで延設され、小物収納かご７を床面などに設置したときは、図６に示すように、小物収納かご７を脚部１１ｂで支持し、底部８ａが床面に接触しない程度の間隔を有するように形成されている。１１ｃは主枠１１ａと脚部１１ｂとの屈曲部である。
【００１５】
１２は箱体８の長手方向を横切って枠体部９の長辺間に橋架された仕切部材で、ステンレス鋼板等をプレス加工などにより折曲げて形成したものであり、両端部には枠体部９に係合するほぼコ字状の保持部１２ａが形成されている。
この仕切部材１２はその保持部１２ａが枠体部９の長辺側に着脱自在に装着され、かつ枠体部９に沿って自在に摺動することができる。
【００１６】
したがって、この仕切部材１２を枠体部９に沿って摺動させれば、図４及び図７に示すように、箱体８を所定の開口面積を有する２つの部屋に仕切ることができ、例えば、前方に空間部Ａ、後方に空間部Ａより開口面積の比較的大きい空間部Ｂを形成することができる。これにより、空間部Ａにはスプーン、フォーク１３ｂなどの小物食器類１３を立てて収納し、空間部Ｂには箸１３ａなどの長い小物食器類１３を寝かせて収納することができる。
【００１７】
次に、本発明に係る食器乾燥機による食器類６及び小物食器類１３の乾燥手順の一例について説明する。
先ず、食器乾燥機の乾燥室４内に収容された食器かご５内に、皿、茶碗などの食器類６を収納し、ついで食器かご５内の空間部に小物収納かご７を収容する。すなわち、食器かご５の主枠５ａの長辺側に小物収納かご７の支持枠１１の屈曲部１１ｃを載置する。
【００１８】
次に、小物収納かご７の仕切部材１２で仕切られた小さい空間部Ａにスプーン、フォーク１３ｂなどの小物食器類１３を立てて収納し、また、比較的大きな空間部Ｂに箸１３ａなどの長い小物食器類１３の一端を仕切部材１２上に載置した状態で寝かせて収納する。なお、あらかじめ食器類６や小物収納かご７を収納した食器かご５を乾燥室４内に収容してもよい。
【００１９】
ついで、蓋体２を閉じて送風機を駆動し、ヒータで加熱された温風を乾燥室４へ送風し、乾燥する。
乾燥が終ったときは、小物収納かご７だけを食器かご５から取出し、又は小物収納かご７を収容した状態で食器かご５を取出し、あるいは、小物収納かご７に収納された箸１３ａやスプーン１３ｂなどを取出す。
【００２０】
本発明においては、小物収納かご７は全体を金属材料で構成しているため吸熱性が良好であり、収納されている小物食器類１３の乾燥性に優れている。また、水あかやヌメリなどが付きにくく、若し付着しても清掃性がよいので容易に除去することができる。さらに、仕切部材１２によって箸１３ａなどの一端が浮いた状態で収納されるので、効率よく乾燥できるばかりでなく、収納、取出しも容易である。
【００２１】
また、食器類６及び小物食器類１３の乾燥にあたっては、小物収納かご７は食器かご５の主枠５ａに沿って左右に移動できるので、食器かご５に収納された皿や茶碗などの食器類６の配置具合に応じて、左右何れの位置にも設置することができる。
さらに、食器かご５に収納した食器類６が少なく、食器かご５に余裕のある場合は、小物収納かご７を主枠５ａから外して、食器かご５の長手方向など適宜の位置に設置することができる。
【００２２】
また、小物収納かご７の仕切部材１２は、小物収納かご７の任意の位置に設置しうるように構成されているので、収納される小物食器類１３の形状、長さ等に応じてその位置を適宜調節することができる。
さらに、小物収納かご７は支持枠１１に支持されて、その底部８ａと床板３との間に間隙が形成されているため、温風の通りがよく乾燥性が向上する。
【００２３】
また、図８、図９に示すように、仕切部材１２を２個設けて適宜の間隔で設置し、箸１３ａなどの長い小物食器類１３を、中央寄りの仕切部材１２と先端側の仕切部材１２とによって挟むようにして収納すれば、小物食器類１３を安定して乾燥することができる。
さらに、図１０に示すように、多少短い箸１３ａなどであってもその先端部を手前側の仕切部材１２上に載置できるので、長い箸１３ａなどと一緒に小物収納かご７内に収納することができるなど、用途を拡大することができる。
【００２４】
【発明の効果】
本発明に係る食器乾燥機は、箸、スプーンなどの小物食器類を収納する小物収納かごを、発錆しにくい金属材料からなる金網、パンチングメタルなどで構成したので、食器類の乾燥に際して温風によりこの小物収納かごが温め易く、このため、収納した小物食器類の乾燥性能が向上する。
また、水あかが付きにくく、その上ぬめりや黒ずみが発生しにくいので清掃が容易であり、衛生的である。
さらに、食器かごに取付けるようにしたので着脱が容易であり、その上食器かごを取外した場合は小物収納かごも同時に取外すことができるので、取扱性が向上する。
【００２５】
また、小物収納かごの支持枠に長手方向の両端部を下方に折曲げた脚部を設け、この脚部の下端部を箱体の底部より下方に位置させるようにしたので、小物収納かごを本体内に直接設置しても、本体の床面と小物収納かごの底面との間に空間部が形成されるので、乾燥性が向上する。さらに、小物収納かごを本体外の床面上においてもその底面が床面に接触しないので、衛生的である。
【００２６】
さらに、小物収納かごの枠体に、発錆しにくい金属材料からなり枠体の長手方向と直交して着脱かつ摺動自在に装着した仕切部材を備えたので、箸、スプーン等の小物食器類を区分けして収容することができ、乾燥性能が向上する。
また、箸などの長い小物食器類を寝かせて安定して収納できるので、収納性及び乾燥性が向上する。
【図面の簡単な説明】
【図１】本発明の実施の形態に係る食器かご及び小物収納かごを収容した状態を示す食器乾燥機の斜視図である。
【図２】図１の食器類を取り除いた状態を示す食器乾燥機の斜視図である。
【図３】図１の食器かご及び小物収納かごの斜視図である。
【図４】図３の小物収納かごの斜視図である。
【図５】図３の小物収納かごの斜視図である。
【図６】図３の小物収納かごの側面図である。
【図７】小物収納かごに小物食器類を収容した状態を示す斜視図である。
【図８】小物食器かごの他の例を示す斜視図である。
【図９】小物食器類を収容した状態を示す斜視図である。
【図１０】小物食器類を収容した状態を示す斜視図である。
【図１１】従来の食器乾燥機の一例の斜視図である。
【図１２】従来の食器乾燥機の一例の斜視図である。
【図１３】図１２の小物収納かごの斜視図である。
【符号の説明】
１  食器乾燥機の本体ケース、２  蓋体、４  乾燥室、５  食器かご、５ａ  主枠、５ｂ  外枠、６  食器類、７  小物収納かご、８  箱体、８ａ  底部、８ｂ  側壁部、８ｃ  前後壁、９  枠体部、１０  補強枠、１１  支持枠、１１ａ主枠、１１ｂ  脚部、１１ｃ  屈曲部、１２  仕切部材、１２ａ  保持部、１３  小物食器類、１３ａ  箸などの長い小物食器、１３ｂ  スプーン、フォークなどの短い小物食器。
【図１】
0003622136.tif 000002
【図２】
0003622136.tif 000003
【図３】
0003622136.tif 000004
【図４】
0003622136.tif 000005
【図５】
0003622136.tif 000006
【図６】
0003622136.tif 000007
【図７】
0003622136.tif 000008
【図８】
0003622136.tif 000009
【図９】
0003622136.tif 000010
【図１０】
0003622136.tif 000011
【図１１】
0003622136.tif 000012
【図１２】
0003622136.tif 000013
【図１３】
0003622136.tif 000014